(57)【要約】【課題】端面が略垂直となったフロアパネルと周縁部に鍔部が突出したフロアパネルとの異なる２種類のフロアパネルを、施工品質の低下を来すことなく効率良く接続支持できるフロアパネルの連結支持構造の提供を図る。【解決手段】基礎となる床面１に設置した脚部２に、上面の中心周りに複数箇所の載置領域３Ａ〜３Ｄを設けたパネル載置台３を設け、載置領域３Ａ，３ＢにＧＲＣフロアパネル４の端面が略垂直となった角部４ｃの下面を載置し、その角部４ｃの上面に第１の凹部４１を形成する。第１の凹部４１に嵌合する押さえ部６１を設けるとともに、残りの載置領域３Ｃ，３Ｄに対応する上面に第２の凹部６２を形成したキャップ６を設ける。鍔付きフロアパネル５の鍔部５４をキャップ６の第２の凹部６２に嵌合しつつ、角部５ｃの下面を載置領域３Ｃ，３Ｄに載置する。【選択図】図２
2008106561.tif 000002
【特許請求の範囲】
【請求項１】
基礎となる床面に設置した支持手段に設けられ、上面の中心周りにフロアパネルの角部を複数支持する複数箇所の載置領域が形成されたパネル載置台と、
前記複数箇所の載置領域の任意な箇所に端面が略垂直となった角部の下面が載置され、その角部の上面に第１の凹部が形成された第１のフロアパネルと、
前記パネル載置台に着脱自在に載置され、前記第１の凹部に嵌合する押さえ部を設けるとともに、第１のフロアパネルが載置された残りの載置領域に対応する上面に第２の凹部が形成されたキャップと、
角部の上面にその上面の延長方向に突出する鍔部を有し、その鍔部が前記キャップの第２の凹部に嵌合された状態で当該角部の下面が前記載置領域に載置される第２のフロアパネルと、を備えたことを特徴とするフロアパネルの連結支持構造。
【請求項２】
前記第２のフロアパネルを前記パネル載置台に固定する締結手段を備えたことを特徴とする請求項１に記載のフロアパネルの連結支持構造。
【請求項３】
前記第１のフロアパネルとパネル載置台との間、または、前記第２のフロアパネルとパネル載置台との間、の少なくとも一方にスペーサーを適宜設けたことを特徴とする請求項１または２に記載のフロアパネルの連結支持構造。
【請求項４】
前記支持手段に対する前記パネル載置台の上下位置を調整する上下位置調整手段を設けたことを特徴とする請求項１〜３のうちいずれか１つに記載のフロアパネルの連結支持構造。
【請求項５】
請求項１〜４のうちいずれか１つに記載のフロアパネルの連結支持構造に用いる前記キャップ。
【発明の詳細な説明】
【技術分野】
【０００１】
本発明は、２種類のフロアパネルの角部を連結支持するフロアパネルの連結支持構造およびその連結支持構造に用いるキャップに関する。
【背景技術】
【０００２】
オフィスなど屋内で多数の配線が張り巡らされるフロアでは、基礎となる床面とその床面の上側に敷設されるフロアパネルとの間に一定の空間を設けて、その空間に多数の配線を配索する二重床構造が採用されている。この種の二重床構造として、フロアパネルが基礎となる床面に支持脚などの支持装置を介して支持されるタイプがある（例えば、特許文献１参照）。
【０００３】
この場合に用いられるフロアパネルは、型枠にモルタルを板状に打設して成形され、この場合、型枠によって端面が略垂直となっている（特許文献１参照）。そして、このように型枠によって成形されるフロアパネルは、モルタルを打設する際に内部に鉄筋が埋設されたＧＲＣフロアパネルとして構成され、安価なフロアパネルとして提供される。
【０００４】
ところで、二重床を構築するにあたっては、フロアパネルを敷設する際にフロアの端では現場加工によりそのフロアパネルを切断して寸法合わせをすることになるが、ＧＲＣフロアパネルでは内部に鉄筋が埋設されているため、切断加工が困難になってフロアパネル敷設時の作業性が悪化されてしまう。
【０００５】
これに対し、切断加工が比較的容易なフロアパネルとして、内部に鉄筋を埋設することなく表面と裏面との両面を金属板で覆ったフロアパネルが存在する（例えば、特許文献２参照）。
【０００６】
このように両面を金属板で覆ったフロアパネルでは、表面を覆うトッププレートと裏面を覆うボトムプレートとのそれぞれの周縁部が外周方向に突出されて接合され、その接合部分が鍔部となって突出されることにより鍔付きフロアパネルとなっている。
【０００７】
また、フロアパネルを敷設した際に隣接されるパネル間が平坦となるように、鍔部はフロアパネルの表面を延長する方向に突出させて、フロアパネルの一般部分と鍔部とが同一面となっている。なお、かかる鍔付きフロアパネルでは両面を金属板で覆うため、特許文献１に開示されるタイプに比べて高価なものとなりやすい。
【０００８】
したがって、二重床のフロアパネルを敷設するにあたって、現場加工が必要なフロアの周縁部で鍔付きフロアパネルを用い、何ら加工を必要としないフロアの中央部でＧＲＣフロアパネルを用いることにより、比較的安価で敷設作業の容易な二重床を構築できる。
【特許文献１】実開平７−３８３９９号公報（第８頁、図１）
【特許文献２】特開平１０−１１５０７８号公報（第２頁、図１）
【発明の開示】
【発明が解決しようとする課題】
【０００９】
しかしながら、フロアの周縁部で鍔付きフロアパネルを用い、フロアの中央部でＧＲＣフロアパネルを用いた場合は、２種類の異なるフロアパネルを互いに付き合わせて支持装置によって基礎となる床面に支持させる必要がある。
【００１０】
ところが、このように異なるフロアパネルでは、ＧＲＣフロアパネルでは端面が略垂直に形成される一方、鍔付きフロアパネルでは周縁部から鍔が突出した形状となってそれぞれの端部形状が異なり、また、それぞれのフロアパネルの厚みが異なったりする。
【００１１】
このため、一種類のフロアパネルの連結支持を想定した従来の支持装置では、具合良く２種類のフロアパネルを接続支持することが困難となり、無理に支持しようとするとフロアパネルのガタ付きが発生するなどして施工品質が低下してしまう。
【００１２】
そこで、本発明は、端面が略垂直となったフロアパネルと周縁部に鍔部が突出したフロアパネルとの異なる２種類のフロアパネルを、施工品質の低下を来すことなく効率良く接続支持できるフロアパネルの連結支持構造およびその連結支持構造に用いるキャップを得ることを目的とする。
【課題を解決するための手段】
【００１３】
請求項１の発明にあっては、基礎となる床面に設置した支持手段に設けられ、上面の中心周りにフロアパネルの角部を複数支持する複数箇所の載置領域が形成されたパネル載置台と、上記複数箇所の載置領域の任意な箇所に端面が略垂直となった角部の下面が載置され、その角部の上面に第１の凹部が形成された第１のフロアパネルと、上記パネル載置台に着脱自在に載置され、上記第１の凹部に嵌合する押さえ部を設けるとともに、第１のフロアパネルが載置された残りの載置領域に対応する上面に第２の凹部が形成されたキャップと、角部の上面にその上面の延長方向に突出する鍔部を有し、その鍔部が上記キャップの第２の凹部に嵌合された状態で当該角部の下面が上記載置領域に載置される第２のフロアパネルと、を備えたことを特徴とする。
【００１４】
請求項２の発明にあっては、上記第２のフロアパネルを上記パネル載置台に固定する締結手段を備えたことを特徴とする。
【００１５】
請求項３の発明にあっては、上記第１のフロアパネルとパネル載置台との間、または、上記第２のフロアパネルとパネル載置台との間、の少なくとも一方にスペーサーを適宜設けたことを特徴とする。
【００１６】
請求項４の発明にあっては、上記支持手段に対する上記パネル載置台の上下位置を調整する上下位置調整手段を設けたことを特徴とする。
【００１７】
請求項５の発明にあっては、上記フロアパネルの連結支持構造に用いる上記キャップである。
【発明の効果】
【００１８】
請求項１の発明によれば、角部の端面が略垂直となった第１のフロアパネルと、角部から鍔部が突出する第２のフロアパネルと、を隣接させて接続支持する際に、まず、第１のフロアパネルの角部を支持手段に設けたパネル載置台の任意な載置領域に載置し、この状態でキャップをパネル載置台の上方から被せて、押さえ部を第１のフロアパネルの第１の凹部に嵌合しておく。次に、第２のフロアパネルの角部を上記パネル載置台の残りの載置領域に載置しつつ、その角部から突出した鍔部をキャップの第２の凹部に嵌合する。
【００１９】
したがって、パネル載置台に載置した第１のフロアパネルの角部では、その上面の第１の凹部にキャップの押さえ部が嵌合しているとともに、第２のフロアパネルの角部は、上記パネル載置台に載置されつつ、キャップの上面の第２の凹部に鍔部が嵌合される。
【００２０】
このため、第２のフロアパネルの鍔部によってキャップの持ち上がりを規制できるとともに、そのキャップの押さえ部によって第１のフロアパネルの持ち上がりを規制することができ、第１および第２の両フロアパネルを安定して支持手段に支持させることができる。
【００２１】
また、第２のフロアパネルの鍔部がキャップの第２の凹部に嵌合されることにより、その鍔部が障害となることなく第１のフロアパネルと第２のフロアパネルとを近接配置しつつ、両フロアパネルをパネル載置台でしっかりと支持できるとともに、第１および第２の両フロアパネルの上面を同一面に配置できるため、施工品質が低下するのを抑制することができる。
【００２２】
請求項２の発明によれば、上記第２のフロアパネルを締結手段によって上記パネル載置台に固定するようにしたので、第２のフロアパネルの固定によってキャップおよび第１のフロアパネルをもパネル載置台に固定することができ、部品点数の削減および締結構造の簡素化を図ることができる。
【００２３】
請求項３の発明によれば、上記第１のフロアパネルとパネル載置台との間、または、上記第２のフロアパネルとパネル載置台との間、の少なくともいずれか一方にスペーサーを適宜設けたことで、厚さの異なる第１および第２の両フロアパネルの表面高さを精度良く等しくして施工品質の更なる向上を達成できる。
【００２４】
請求項４の発明によれば、上下位置調整手段によって上記支持手段に対する上記パネル載置台の高さを調整できるため、基礎となる床面の不陸等に影響されることなく、第１および第２の両フロアパネルを全体に亘って精度良く均一な高さに設定できる。
【００２５】
請求項５の発明によれば、上記キャップにより、パネル載置台の上面の中心周りに、第１のフロアパネルの角部と第２のフロアパネルの角部とを載置した際に、第２のフロアパネルの鍔部によってキャップを固定するとともに、当該キャップの押さえ部によって第１のフロアパネルを下方に押圧して固定することができるため、第１および第２の両フロアパネルを安定して支持手段に支持させることができる。
【発明を実施するための最良の形態】
【００２６】
以下、本発明の実施形態について図面を参照しつつ詳細に説明する。図１は、本実施形態にかかる第１のフロアパネルおよび第２のフロアパネルの連結支持部分を示す斜視図、図２は、第１のフロアパネルおよび第２のフロアパネルの連結支持構造を示す分解斜視図、図３は、図１中Ａ−Ａ線に沿った拡大斜視図、図４は、キャップの斜視図、図５は、図４中Ｂ方向から見た側面図、図６は、図４中Ｃ方向から見た正面図である。
【００２７】
本実施形態のフロアパネルの連結支持構造は、図１，図２に示すように、基礎となる床面１に設置した支持手段としての脚部２に設けられるパネル載置台３を備え、そのパネル載置台３には、上面３１の中心周りにフロアパネル４，５の角部４ｃ，５ｃを複数支持する複数箇所の載置領域３Ａ〜３Ｄを設けてある。なお、これら載置領域３Ａ〜３Ｄの形状は全て同一となっている。
【００２８】
なお、本実施形態ではフロアパネル４，５の各隅部が直角に形成される関係上、載置領域３Ａ〜３Ｄは上面３１を周方向に４等分して４箇所設定されている。
【００２９】
脚部２は、床面１に安定的に設置する矩形状の座部２１と、この座部２１の中央部から固定的に立設する所定長さの支柱ボルト２２と、によって構成される。
【００３０】
また、パネル載置台３は、中央部に脚部２の支柱ボルト２２に螺合されるねじ穴３２が形成された矩形状の厚板部３３を備え、その厚板部３３の上面には４つの角部を含むように載置領域３Ａ〜３Ｄを設定し、かつ、その上面には各載置領域３Ａ〜３Ｄの境界部に第１〜第４リブ３４Ａ〜３４Ｄを立設してある。
【００３１】
これら第１〜第４リブ３４Ａ〜３４Ｄは、いずれも同一形状となっている。具体的には、第１〜第４リブ３４Ａ〜３４Ｄは、いずれも、上方に向かって徐々に薄肉化されて断面が細長い台形状となっており、ねじ穴３２に対応する中心部分が切除してあるとともに、各リブ３４Ａ〜３４Ｄの先端中央部には後述のキャップ６を載置する段部３５が形成されている。
【００３２】
ここで、本実施形態では、フロアパネル（４，５）として、打設するモルタルの内部に鉄筋を埋設して型枠成形される第１のフロアパネルとしてのＧＲＣフロアパネル４と、充填材５１の表面をトッププレート５２と裏面をボトムプレート５３とによって覆い、周縁部から鍔部５４を突出させた第２のフロアプレートとしての鍔付きフロアパネル５と、が用いられており、それらＧＲＣフロアパネル４および鍔付きフロアパネル５はいずれも矩形状、すなわち、各四隅が直角となる平板状に形成されている。
【００３３】
なお、ここでは、ＧＲＣフロアパネル４が２枚と、鍔付きフロアパネル５が２枚（なお、図２では便宜上、鍔付きフロアパネル５は１枚のみ示してある）を連結支持する構造について例示する。
【００３４】
型枠成形されるＧＲＣフロアパネル４の角部４ｃは、端面が型枠に沿って略垂直に形成されるとともに、鍔部５４を突出した鍔付きフロアパネル５は、その鍔部５４がトッププレート５２の延長方向に突出され、それら鍔部５４とトッププレート５２とが同一平面となっている。なお、本実施形態では、ＧＲＣフロアパネル４の角部４ｃの先端部は面取りしてある。
【００３５】
また、ＧＲＣフロアパネル４の角部４ｃの上面には、円形の一部を成す形状をもって所定深さｄ１の第１の凹部４１が形成されており、それら２枚のＧＲＣフロアパネル４の角部４ｃの下面を、パネル載置台３の任意な載置領域３Ａ〜３Ｄ、つまり、本実施形態では載置領域３Ａ，３Ｂに載置するようになっている。
【００３６】
一方、鍔付きフロアパネル５の鍔部５４の下面を、ＧＲＣフロアパネル４を載置した残りの載置領域３Ａ〜３Ｄ、つまり、本実施形態ではＧＲＣフロアパネル４を載置した載置領域３Ａ，３Ｂを除いた載置領域３Ｃ，３Ｄに載置するようになっている。
【００３７】
パネル載置台３には着脱自在に載置されるキャップ６が設けられ、このキャップ６には、第１の凹部４１に嵌合する押さえ部６１を設けるとともに、鍔付きフロアパネル５が載置された載置領域３Ｃ，３Ｄに対応する上面に第２の凹部６２を形成してある。
【００３８】
第２の凹部６２は、図２に示すように、鍔付きフロアパネル５の角部に位置する鍔部５４の形状に沿った角形に形成されるとともに、その鍔部５４の厚さｔ１に等しい深さｄ２に形成してある。
【００３９】
つまり、キャップ６には、図４にも示すように、ＧＲＣフロアパネル４の角部４ｃの上面に形成した第１の凹部４１に嵌合される押さえ部６１と、キャップ６の上面に形成されて鍔付きフロアパネル５の鍔部５４を嵌合する第２の凹部６２と、を設けてある。
【００４０】
押さえ部６１は、半円状を成して、図５に示すように水平方向に突設され、その肉厚ｔ２は第１の凹部４１の深さｄ１と略等しくなっているとともに、第２の凹部６２は鍔部５４の形状に沿ったＬ字状を成しており、その第２の凹部６２の内側に鍔付きフロアパネル５の角部５ｃが位置するようになっている。
【００４１】
また、キャップ６の下面には、図５，図６に示すように、パネル載置台３の第２リブ３４Ｂおよび第４リブ３４Ｄの図２中手前側側面に当接して、その当接方向の位置ずれを規制する第１・第２垂下リブ６３Ａ，６３Ｂを一体に垂設するとともに、パネル載置台３の第３リブ３４Ｃの両面に跨って嵌合されて、回転方向の位置ずれを規制する二股状垂下リブ６３Ｃを一体に垂設してある。
【００４２】
第１・第２垂下リブ６３Ａ，６３Ｂおよび二股状垂下リブ６３Ｃの中心側は相互に一体に連結されており、それら各リブ６３Ａ〜６３Ｃの垂設長さＬ（図３参照）は、第１〜第４リブ３４Ａ〜３４Ｄの高さＨよりも短く形成して、脚部２に対するパネル載置台３の高さ調整する際に、脚部２の支柱ボルト２２の先端がキャップ６側のリブ６３Ａ〜６３Ｃの下端に干渉するのが回避されるようにしてある。
【００４３】
また、図２に示すように、パネル載置台３の各載置領域３Ａ〜３Ｄには、それら各領域の略中央部に凸部３６を一体に設けてある一方、ＧＲＣフロアパネル４の角部４ｃの下面には、凸部３６に嵌合する図示省略した凹部を設けてある。
【００４４】
そして、ＧＲＣフロアパネル４では、それの角部４ｃを載置領域３Ａ，３Ｂに載置した際に、凸部３６と凹部とが嵌合して位置決めされる。なお、載置領域３Ｃ，３Ｄに設けた凸部３６には、後述するスペーサー８の開口部８１が嵌合するようになっている。
【００４５】
ここで、鍔付きフロアパネル５をパネル載置台３に固定する締結手段としての固定ボルト７を設けてある。
【００４６】
すなわち、鍔付きフロアパネル５の角部５ｃ近傍には、鍔部５４の領域から外れた部位に固定ボルト７の挿通穴５５を上下に貫通するとともに、鍔付きフロアパネル５を載置する載置領域３Ｃ，３Ｄには固定ボルト７のねじ穴３７を形成しておき、ＧＲＣフロアパネル４と鍔付きフロアパネル５およびキャップ６を組み付けた後、固定ボルト７を挿通穴５５に挿通してねじ穴３７に螺合するようになっている。
【００４７】
また、本実施形態では、図３に示すように、ＧＲＣフロアパネル４にはそれの周縁部の厚さＴ１が例えば３２ｍｍのものを用いる一方、鍔付きフロアパネル５にはそれの周縁部の厚さＴ２が例えば２６ｍｍのものを用いるようになっており、これに対してパネル載置台３の載置面（上面）はフラットになっている。
【００４８】
このため、鍔付きフロアパネル５とパネル載置台３との間に、所定厚さＴ３（一例としては、Ｔ３＝Ｔ１−Ｔ２＝３２ｍｍ−２６ｍｍ＝６ｍｍ）のスペーサー８を介在させてある。
【００４９】
スペーサー８は、図２に示すように、鍔付きフロアパネル５の角部５ｃが載置される載置領域３Ｃ，３Ｄの形状に沿った略扇状に形成され、その中央部には、載置領域３Ｃ，３Ｄに設けた凸部３６を嵌合する開口部８１と、固定ボルト７を挿通する開口部８２と、を連続させて形成してある。
【００５０】
また、スペーサー８の第２・第３・第４リブ３４Ｂ，３４Ｃ，３４Ｄに対向する両側には弾発力を有する爪８３がそれぞれ設けられ、それら爪８３を第２・第３・第４リブ３４Ｂ，３４Ｃ，３４Ｄの基部に設けた係合凹部３８に係合するようになっている。
【００５１】
本実施形態では、パネル載置台３と脚部２との間に上下位置調整手段９を設けて、パネル載置台３の上下位置を自在に調整できるようになっている。
【００５２】
具体的には、上下位置調整手段９は、脚部２の支柱ボルト２２と、パネル載置台３の中央部に設けたねじ穴３２と、によって構成されており、パネル載置台３を回転させることで、パネル載置台３の上下位置が微調整される。
【００５３】
この場合に、上述したように、パネル載置台３の載置領域３Ａ〜３Ｄおよび第１〜第４のリブ３４Ａ〜３４Ｄはいずれも同一形状で、ＧＲＣフロアパネル４および鍔付きフロアパネル５の双方に対応できるようになっている。このため、パネル載置台３を１／４回転させるたびに平面視では同一形状となる。つまり、本実施形態では、支柱ボルト２２の１／４ピッチが高さ調整ピッチとなる。
【００５４】
したがって、本実施形態では、角部４ｃの端面が略垂直となったＧＲＣフロアパネル４と、角部５ｃから鍔部５４が突出する鍔付きフロアパネル５と、を隣接して脚部２に設けたパネル載置台３に接続支持するには、まず、ＧＲＣフロアパネル４の角部４ｃをパネル載置台３の載置領域３Ａ，３Ｂに載置し、この状態でキャップ６をパネル載置台３の上方から被せて、それの押さえ部６１をＧＲＣフロアパネル４の第１の凹部４１に嵌合しておく。
【００５５】
次に、鍔付きフロアパネル５の角部５ｃをパネル載置台３の残りの載置領域３Ｃ，３Ｄに、スペーサー８を介在させて載置しつつ、その角部５ｃから突出した鍔部５４をキャップ６の第２の凹部６２に嵌合する。
【００５６】
そして、鍔付きフロアパネル５に設けた挿通穴５５に固定ボルト７を挿通して、その固定ボルトをパネル載置台３に設けたねじ穴３７に締め付けることにより、鍔付きフロアパネル５の角部５ｃをパネル載置台３に固定すると同時に、その鍔付きフロアパネル５の鍔部５４でキャップ６を下方に押し付けた状態で固定し、さらには、そのキャップ６の押さえ部６１がＧＲＣフロアパネル４の角部４ｃをパネル載置台３に押し付けて固定するようになっている。
【００５７】
以上の構成により本実施形態によれば、パネル載置台３に載置したＧＲＣフロアパネル４の角部４ｃは、上面の第１の凹部４１にキャップ６の押さえ部６１が嵌合しているとともに、鍔付きフロアパネル５の角部５ｃは、パネル載置台３に載置されつつ、キャップ６の上面の第２の凹部６２に鍔部５４が嵌合されることにより、鍔付きフロアパネル５の角部５ｃによってキャップ６の持ち上がりを規制できるとともに、そのキャップ６の押さえ部６１によってＧＲＣフロアパネル４の持ち上がりを規制できるため、ＧＲＣフロアパネル４および鍔付きフロアパネル５を安定して脚部２に支持させることができる。
【００５８】
また、鍔付きフロアパネル５の角部５ｃがキャップ６の第２の凹部６２に嵌合されることにより、その鍔部５４が障害となることなくＧＲＣフロアパネル４と鍔付きフロアパネル５とを近接配置しつつ、両フロアパネル４，５をパネル載置台３でしっかりと支持できるとともに、両フロアパネル４，５の上面を同一面に配置できるため、施工品質が低下するのを抑制することができる。
【００５９】
さらに、本実施形態では鍔付きフロアパネル５を締結手段として用いた固定ボルト７によってパネル載置台３に固定するようにしたので、鍔付きフロアパネル５の固定によってキャップ６およびＧＲＣフロアパネル４を同時にパネル載置台３に固定することができ、部品点数の削減並びに締結構造の簡素化を図ることができる。
【００６０】
さらにまた、本実施形態では鍔付きフロアパネル５の厚さＴ２がＧＲＣフロアパネル４の厚さＴ１よりも薄肉のものを用いてあるが、鍔付きフロアパネル５とパネル載置台３との間にスペーサー８を設けたことにより、厚さの異なるＧＲＣフロアパネル４と鍔付きフロアパネル５との表面高さを精度良く等しくして、施工品質の更なる向上を達成できる。
【００６１】
また、脚部２の支柱ボルト２２とパネル載置台３のねじ穴３２とによって構成した上下位置調整手段９により、脚部２に対するパネル載置台３の高さを調整できるため、基礎となる床面１の不陸等に影響されることなく、ＧＲＣフロアパネル４および鍔付きフロアパネル５を全体に亘って精度良く均一な高さに設定できる。
【００６２】
さらに、本実施形態では、ＧＲＣフロアパネル４の角部４ｃの上面に形成した第１の凹部４１に嵌合される押さえ部６１と、上面に形成されて鍔付きフロアパネル５の角部５ｃの鍔部５４を嵌合する第２の凹部６２とを備えたキャップ６を設けたので、パネル載置台３の上面の中心周りに、ＧＲＣフロアパネル４の角部４ｃと鍔付きフロアパネル５の角部５ｃとを載置した際に、鍔付きフロアパネル５の鍔部５４によってキャップ６を固定するとともに、そのキャップ６の押さえ部６１によってＧＲＣフロアパネル４を下方に押圧して固定することができるため、ＧＲＣフロアパネル４および鍔付きフロアパネル５を安定して支持手段に支持させることができる。
【００６３】
以上、本発明の好適な実施形態について例示したが、本発明は上記実施形態に限定されるものではなく、種々に変形して実施することができる。例えば、矩形状となったＧＲＣフロアパネル４および鍔付きフロアパネル５の枚数は、それぞれが２枚づつに限ることなく両者を併せて４枚であればよい。
【００６４】
つまり、ＧＲＣフロアパネル４が３枚であれば鍔付きフロアパネル５が１枚となり、ＧＲＣフロアパネル４が１枚であれば鍔付きフロアパネル５が３枚となる。もちろん、この場合、キャップ６はそれぞれの枚数に応じたものが用いられ、ＧＲＣフロアパネル４が３枚であれば、押さえ部６１は略２７０度の角度もった扇形になり、かつ、第２の凹部６２が１箇所となる一方、ＧＲＣフロアパネル４が１枚であれば、押さえ部６１は略９０度の角度もった扇形になり、かつ、第２の凹部６２が３箇所となる。
【００６５】
さらに、この場合において、上記実施形態のように、パネル載置台の複数の載置領域の全ておよびリブの全てを、フロアパネルの双方のタイプに対応できるようにすれば、パネル載置台としては一つのものを使用することができるようになるし、パネル載置台の姿勢に対する制約が減って、設置作業をより容易に行えるようになる。
【００６６】
また、第１のフロアパネルはＧＲＣフロアパネル４に限ることはなく角部の端面が略垂直のフロアパネルであればよく、また、第２のフロアパネルは鍔付きフロアパネル５に限ることなく角部に鍔部を備えたフロアパネルであればよい。
【００６７】
さらに、本実施形態では鍔付きフロアパネル５がＧＲＣフロアパネル４よりも薄肉に形成された関係上、鍔付きフロアパネル５とパネル載置台３との間にスペーサー８を介在させたが、ＧＲＣフロアパネル４が薄肉である場合はそれとパネル載置台３との間にスペーサーを介在させればよく、もちろん、鍔付きフロアパネル５とＧＲＣフロアパネル４とが等厚の場合はスペーサーは不要となる。
【図面の簡単な説明】
【００６８】
【図１】本発明の一実施形態における第１のフロアパネルおよび第２のフロアパネルの連結支持部分を示す斜視図。
【図２】本発明の一実施形態における第１のフロアパネルおよび第２のフロアパネルの連結支持構造を示す分解斜視図。
【図３】図１中Ａ−Ａ線に沿った拡大斜視図。
【図４】本発明の一実施形態におけるキャップの斜視図。
【図５】図４中Ｂ方向から見た側面図。
【図６】図４中Ｃ方向から見た正面図。
【符号の説明】
【００６９】
１  基礎となる床面
２  脚部（支持手段）
３  パネル載置台
３Ａ〜３Ｄ  載置領域
４  ＧＲＣフロアパネル（第１のフロアパネル）
４ｃ  角部
４１  第１の凹部
５  鍔付きフロアパネル（第２のフロアパネル）
５ｃ  角部
５４  鍔部
６  キャップ
６１  押さえ部
６２  第２の凹部
７  固定ボルト（締結手段）
８  スペーサー
９  上下位置調整手段
【図１】
2008106561.tif 000003
【図２】
2008106561.tif 000004
【図３】
2008106561.tif 000005
【図４】
2008106561.tif 000006
【図５】
2008106561.tif 000007
【図６】
2008106561.tif 000008